(57)【要約】【課題】顧客の希望に沿い、かつ十分な内容を表示することができる自動取引装置を提供する。【解決手段】表示画面を有する自動取引装置の制御部に、表示画面にサービス情報を表示することを選択するためのサービス選択ボタンを表示するサービス選択ボタン表示ステップと、サービス選択ボタンが選択された信号を受付けるサービス選択ボタン選択信号受付ステップと、サービス選択ボタンが選択されたときにサービス情報を表示するサービス情報表示ステップとを実行させる。【選択図】　　　　図１
2004145415.tif 000002
【特許請求の範囲】
【請求項１】
表示画面を有する自動取引装置において、
前記表示画面に、サービス情報を表示することを選択するためのサービス選択ボタンを表示した画面を表示し、前記サービス選択ボタンが選択されたときに、前記サービス情報を表示することを特徴とする自動取引装置。
【請求項２】
請求項１において、
前記サービス情報を表示する時期が、取引処理の終了後であることを特徴とする自動取引装置。
【請求項３】
請求項１において、
前記サービス情報を表示する時期が、取引終了後であることを特徴とする自動取引装置。
【請求項４】
請求項１、請求項２または請求項３において、
前記サービス選択ボタンを複数設け、複数のサービス情報からの選択を可能としたことを特徴とする自動取引装置。
【請求項５】
請求項１から請求項３または請求項４において、
前記サービス選択ボタンの近傍に、サービス情報の概要を表示したことを特徴とする自動取引装置。
【請求項６】
請求項１から請求項４または請求項５において、
前記サービス選択ボタンを、取引選択画面に表示したことを特徴とする自動取引装置。
【請求項７】
請求項１から請求項５または請求項６において、
前記サービス選択ボタンを、処理待ち時間の待機依頼画面に表示したことを特徴とする自動取引装置。
【請求項８】
表示画面を有する自動取引装置の画面表示方法において、
前記表示画面に、サービス情報を表示することを選択するためのサービス選択ボタンを表示し、前記サービス選択ボタンが選択されたときに、前記サービス情報を表示することを特徴とする自動取引装置の画面表示方法。
【請求項９】
表示画面を有する自動取引装置の制御部に、
前記表示画面に、サービス情報を表示することを選択するためのサービス選択ボタンを表示するサービス選択ボタン表示ステップと、
前記サービス選択ボタンが選択された信号を受付けるサービス選択ボタン選択信号受付ステップと、
前記サービス選択ボタンが選択されたときに、前記サービス情報を表示するサービス情報表示ステップとを実行させることを特徴とする自動取引装置のプログラム。
【発明の詳細な説明】
【０００１】
【発明の属する技術分野】
本発明は、現金自動取引装置や発券機、マルチメディア端末等の表示画面を有する自動取引装置およびその画面表示方法並びにそのプログラムに関する。
【０００２】
【従来の技術】
【特許文献１】
特開平１０−１５４１２７号公報（第３頁
【０００８】−
【００１２】、第２図）
上記特許文献１の従来の自動取引装置は、顧客の属性情報により複数の関連画面を選択し、乱数によって選択した一つの画面を現金自動取引装置の通信待ち時間に表示するという技術である。
【０００３】
【発明が解決しようとする課題】
しかしながら、上述した従来の技術においては、現金自動取引装置の通信待ち時間に情報を表示するため、表示時間が短く十分な内容を表示することができないという問題がある。
また、表示する情報は、属性情報を基にするといえども銀行側が用意した情報であり、顧客の希望に沿えないという問題がある。
【０００４】
本発明は、上記の問題点を解決するためになされたもので、顧客の希望に沿い、かつ十分な内容を表示することができる自動取引装置を提供することを目的とする。
【０００５】
【課題を解決するための手段】
本発明は、上記課題を解決するために、表示画面を有する自動取引装置において、前記表示画面に、サービス情報を表示することを選択するためのサービス選択ボタンを表示した画面を表示し、前記サービス選択ボタンが選択されたときに、前記サービス情報を表示することを特徴とする。
【０００６】
また、表示画面を有する自動取引装置の制御部に、前記表示画面に、サービス情報を表示することを選択するためのサービス選択ボタンを表示するサービス選択ボタン表示ステップと、前記サービス選択ボタンが選択された信号を受付けるサービス選択ボタン選択信号受付ステップと、前記サービス選択ボタンが選択されたときに、前記サービス情報を表示するサービス情報表示ステップとを実行させることを特徴とする。
【発明の実施の形態】
以下に、図面を参照して本発明による自動取引装置の実施の形態について説明する。
【０００７】
第１実施の形態例
図１は第１実施の形態のサービス情報表示処理を示すフローチャート、図２はその現金自動取引装置を示すブロック図である。
【０００８】
図２において、１は金融機関のセンタに設置されているホストコンピュータであり、銀行の支店等に設置されている現金自動取引装置２と通信回線を介して接続されており、顧客の口座の口座番号やその暗証番号、口座残高等を格納する元帳ファイル３を保有している。
４は現金自動取引装置２の制御部であり、通信部５によって通信回線を介してホストコンピュータ１と接続しており、現金自動取引装置２内の各部を制御して取引制御やサービス情報の表示を行うと共にデータ通信等も制御する。
【０００９】
６は記憶部であり、制御部４が実行するプログラムや制御部４による処理結果等が格納され、ホストコンピュータ１または図示しない営業店管理サーバ等から配信されるサービス情報を格納している。
なお、サービス情報は営業店の係員等が各現金自動取引装置２に対してフロッピディスク等の記録媒体を用いて入力し、格納するようにしてもよい。
【００１０】
７は表示操作部であり、ＣＲＴまたはＬＣＤ等の表示画面とタッチパネル等との組合せ等で構成されており、取引選択画面や顧客の希望等を問合せる画面、顧客の処置を促す画面等を表示する一方、タッチパネル等により顧客からの入力を受付ける。
なお、顧客からの入力は現金自動取引装置２の本体等に別に設けたキーボードや選択ボタン等から受付けるようにしてもよい。
【００１１】
８はカード挿入部であり、挿入された顧客のキャッシュカード等の取引カードの磁気ストライプに記録されているカード情報を読み書きすると共に取引明細票等を印刷するプリンタを有している。
９は通帳記帳部であり、挿入された顧客の通帳の磁気ストライプに記録されている内容を読み書きすると共に取引内容等を顧客の通帳に記帳する。
【００１２】
１０は紙幣入出金部であり、顧客が投入した紙幣を受入れ、これを鑑別、計数して収納し、顧客に払出す紙幣を排出する。
１１は硬貨入出金部であり、顧客が投入した硬貨を受入れ、これを鑑別、計数して収納し、顧客に払出す硬貨を排出する。
上述した構成の作用について説明する。
【００１３】
現金自動取引装置２を運用する金融機関等は、サービス情報依頼主である企業等との契約によって広告やアンケート等の顧客向けのサービス情報および金融機関が独自に顧客に提供する新たな金融サービスの情報等のサービス情報を現金自動取引装置２の記憶部６に格納している。
また、サービス情報を表示するための予約フラグは、前回の取引またはサービス情報を表示した後に、サービス情報を表示しないことを表すＯＦＦ状態に更新されている。
【００１４】
本実施の形態のサービス情報表示処理においては、予約フラグはＯＦＦを「０」とし、ＯＮをその押下されたサービス情報の表示を予約するためのサービス選択ボタン毎に「１」「２」等として記号等によって識別できるようにして記憶部６等に記憶される。
以下に、図１に示すフローチャートを用い、Ｓで示すステップに従って顧客による出金取引の場合を例にサービス情報表示処理について説明する。
【００１５】
Ｓ１、現金自動取引装置２の表示操作部７の画面には図３に示す初期画面である取引選択画面が表示されている。
取引選択画面には、取引ボタンの押下を促す旨、サービス情報の表示を選択するときの操作手順等の文言および出金取引のための「お引き出し」ボタン、入金取引のための「お預け入れ」ボタン、口座残高を照会するための「残高照会」ボタン等の取引を選択するための取引ボタン、並びに銀行や企業等からのサービス情報の表示を予約するための「銀行からのメッセージを後で読む」ボタン、「△△の広告表示を予約する」ボタン、「アンケートに後で答える」ボタン等のサービス選択ボタンが表示されている。
【００１６】
本実施の形態では、顧客は表示操作部７の画面からサービス選択ボタンとして「△△の広告表示を予約する」ボタンを押下し、次いで取引ボタンとして出金取引のための「お引き出し」ボタンを押下する。
Ｓ２、この信号をタッチパネル等による位置信号によって検知した制御部４は、サービス選択ボタンが押下された後に取引ボタンが押下された場合はサービス情報の表示の選択がなされたとしてステップＳ３へ、先に取引ボタンが押下された場合はサービス情報の表示の選択がなされなかったとしてステップＳ４へ移行する。
【００１７】
Ｓ３、制御部４は、サービス選択ボタンの種類によってこれに該当する予約フラグをＯＮ状態に更新する。本実施の形態では「△△の広告表示を予約する」ボタンが押下されているので、予約フラグを「２」として予約フラグをＯＮ状態に更新する。
Ｓ４、制御部４は、取引カードの挿入を促す画面を表示し、顧客はこれに従って顧客の取引カードをカード挿入部８に挿入する。
【００１８】
取引カードが挿入されたことを検知した制御部４は、カード挿入部８によって取引カードの磁気ストライプに記録されたカード情報を読取る。
なお、通帳が同時に挿入された場合は、通帳記帳部９によって通帳の磁気ストライプに記録された通帳情報も読取る。
次いで、制御部４は表示操作部７の画面に暗証番号入力画面を表示して暗証番号の入力を促し、顧客は暗証番号を暗証番号入力画面に表示されているテンキー等によって入力する。
【００１９】
なお、暗証番号が一致しない場合は、所定の回数、例えば３回の再入力を受付け、再入力された暗証番号が所定の回数を超えても一致しない場合はステップＳ１０へ移行する。
Ｓ５、暗証番号の入力が終わると、制御部４は表示操作部７の画面に金額入力画面を表示して引出金額の入力を促し、顧客は引出金額を金額入力画面に表示されているテンキー等によって入力して確認ボタンを押下する。
【００２０】
Ｓ６、確認ボタンの押下を認識した制御部４は、ホストコンピュータ１との間で出金取引の可否を問合せるために取引カードのカード情報に入力された暗証番号や引出金額等を添付して取引電文を作成し、通信部５によって通信回線を介してホストコンピュータ１へ送信してステップＳ７へ移行する。
取引電文を受信したホストコンピュータ１は、顧客認証処理のために取引電文に含まれるカード情報を基に元帳ファイル３を検索して該当する顧客ファイルの暗証番号と取引電文の暗証番号とを照合し、暗証番号が一致した場合は顧客を認証し、口座残高に不足がない場合は取引許可の旨を電文にして取引可否電文を作成すると共に、該当する顧客ファイルの口座残高を更新する。
【００２１】
暗証番号が一致しない場合や口座残高が不足している場合には、それぞれの旨を添付した取引不許可の旨を電文にして取引可否電文を作成する。
そして、ホストコンピュータ１は顧客認証処理を終えると、取引可否電文を含む返信を現金自動取引装置２へ通信回線を介して送信する。
Ｓ７、取引電文の送信を終えた制御部４は、表示操作部７の画面に図４に示すセンタと通信中である旨およびしばらくの間の待機を依頼する旨等の文言を表示した待機依頼画面を表示して顧客にしばらくの間の待機を促す。
【００２２】
Ｓ８、現金自動取引装置２の制御部４は、ステップＳ７の待機依頼画面を表示しながら通信部５によってホストコンピュータ１からの返信を待つ返信待状態で待機し、ホストコンピュータ１からの返信を受信したことを契機としてステップＳ９へ分岐する。
Ｓ９、ホストコンピュータ１からの返信を受信した制御部４は、返信に含まれる取引可否電文を基に取引可否を判断し、取引許可の場合は、表示操作部７の画面に出金取引処理を行う旨を表示すると同時に、その取引内容をカード挿入部８によって取引明細票に印刷すると共に、入力された引出金額を紙幣入出金部１０および硬貨入出金部１１からそれぞれ計数して繰出す。
【００２３】
次いで制御部４は、表示操作部７の画面に現金や取引カード、取引明細票の受取りを促す画面を表示すると共に現金を紙幣入出金部１０および硬貨入出金部１１によって、取引カードや取引明細票をカード挿入部８によって排出する。
なお、通帳が挿入されている場合は、制御部４は取引内容を通帳記帳部９によって通帳に記帳して排出する。
【００２４】
制御部４は、顧客がこれらを受取ったことを確認して出金取引処理を終了し、ステップＳ１０へ移行する。
取引可否電文が取引不許可の場合は、制御部４は表示操作部７の画面に取引不許可の旨とその内容および内容の確認を促す旨と「確認」ボタンを表示した取引不許可確認画面を表示する。
【００２５】
顧客はその内容を確認して取引不許可確認画面に表示されている「確認」ボタンを押下し、この信号を認識した制御部４は取引カードの受取りを促す画面を表示すると共に取引カードをカード挿入部８によって排出し、顧客の受取りを確認して出金取引処理を終了させステップＳ１０へ移行する。
Ｓ１０、制御部４は予約フラグがＯＮ状態ならばステップＳ１１へ、予約フラグがＯＦＦ状態ならばステップＳ１２へ移行する。
【００２６】
Ｓ１１、制御部４は表示操作部７の画面に図５に示すサービス情報表示画面を表示する。
サービス情報表示画面には、取引処理が終了した旨、表示中のサービス情報は選択したサービス情報である旨等の文言およびそれ以外の表示エリアを広く使ったサービス情報表示エリアが表示され、このサービス情報表示エリアにステップＳ１で選択されたサービス情報の詳細、つまり予約フラグ「２」に該当する△△が金融機関に供給した広告が表示される。
【００２７】
サービス情報の表示が終了すると、制御部４はステップＳ１２へ移行する。
なお、選択されたサービス情報が「アンケート」の場合は、アンケートの入力ボタンの他に入力の終了を指示するための「確認」ボタンを同時に表示するようにしてサービス情報の表示の終了を制御部４が認識するようにしてもよい。
Ｓ１２、制御部４は表示操作部７の画面に取引に対する謝辞等の文言を表示した通常の取引終了画面を表示して取引を終了させ、予約フラグを「０」、つまりＯＦＦ状態にして一定時間の経過後にステップＳ１へ戻り、表示操作部７の画面に取引選択画面を表示して待機する。
【００２８】
なお、上記ステップＳ１において、手順を定めてサービス選択ボタンを押下するとして説明したが、順序を定めずに取引ボタンの押下後に一定の時間経過してもサービス選択ボタンの押下がない場合に選択されなかったとしてステップＳ４へ移行するようにしてもよい。
また、ステップＳ１において、取引選択画面にサービス選択ボタンを共に表示するとして説明したが、取引ボタンの数が多い場合や表示内容が見難くなる場合等には通常の取引選択画面を表示し、取引の選択後に次画面としてサービス選択ボタンを表示して顧客に選択させるようにしてもよい。
【００２９】
更に、ステップＳ１１において、選択されたサービス情報が「銀行からのメッセージ」の場合に、定期預金等の満期情報を表示する必要があるときにはステップＳ７で説明したホストコンピュータ１の作動の中でホストコンピュータ１が顧客ファイル等からその情報を取得し、取引可否電文に添付する等して現金自動取引装置２へ送信し、これを現金自動取引装置２が記憶部６等に一時保存して表示するようにしてもよい。
【００３０】
以上説明したように、本実施の形態では、現金自動取引装置の表示操作部に顧客がサービス情報の表示を選択するためのサービス選択ボタンを表示し、サービス情報を表示することを選択可能としたことによって、顧客は希望に沿ったサービス情報の提供を受けることができる。
また、サービス情報を表示する時期を出金取引処理等の取引処理の終了後としたことによって、取引処理の流れを中断することがなくなり、現金や取引カード等の取り忘れを防止することができると共にサービス情報の詳細の表示に十分な時間を確保することができる。
【００３１】
更に、これによって他の画面との共用化を図る必要がなくなり、サービス情報の表示エリアを大きくすることができ、より詳細なサービス情報の表示が可能となる。
上記に加えて、初期画面にボタン表示によるサービス選択ボタンを表示するようにしたことによって、取引ボタンの視認性を確保することができ、無用の混乱を避けることができる。
【００３２】
また、サービス選択ボタンを初期画面に表示するとして説明したが、取引選択画面は通常の取引選択画面とし、現金自動取引装置とホストコンピュータとの間の通信の通信待ち時間や出金取引処理の動作待ち時間等の処理待ち時間に表示して顧客に選択させるようにしてもよい。これによって顧客の待ち時間を有効に活用することができる。
【００３３】
更に、サービス情報の表示は出金取引処理等の取引処理の終了後であり、取引終了画面の表示前に表示するとして説明したが、取引終了後、つまり取引終了画面を表示した後に表示するようにしても本実施の形態の効果を損なうものではない。
【００３４】
第２実施の形態例
図６は第２実施の形態のサービス情報表示処理を示すフローチャートである。なお、本実施の形態の現金自動取引装置は図２に示す第１実施の形態例と同様であるので、同一の符号を付してその説明を省略する。
上記の構成の作用について説明する。
現金自動取引装置２を運用する金融機関等は、サービス情報依頼主である企業等との契約によって広告等の顧客向けのサービス情報を現金自動取引装置２の記憶部６に格納している。
【００３５】
また、サービス情報を表示するための予約フラグは、前回の取引またはサービス情報を表示した後に「ＯＦＦ」に更新されて記憶部６等に記憶されている。
以下に、図６に示すフローチャートを用い、ＳＡで示すステップに従って顧客による出金取引の場合を例にサービス情報表示処理について説明する。
ＳＡ１、現金自動取引装置２の表示操作部７の画面には図７に示す初期画面である取引選択画面が表示されている。
【００３６】
取引選択画面には、取引ボタンの押下を促す旨、サービス情報の表示を選択するときの操作手順等の文言、および出金取引のための「お引き出し」ボタン、入金取引のための「お預け入れ」ボタン、口座残高を照会するための「残高照会」ボタン等の取引を選択するための取引ボタン、並びに企業等からのサービス情報の表示を予約するためのサービス選択ボタンとしての「サービス予約」ボタンとその近傍に設けられたサービス情報概要表示エリアにサービス情報の概要を示すための短いメッセージや象徴的な図柄による画像等が表示されている。
【００３７】
本実施の形態では、顧客は表示操作部７の画面から出金取引のための取引ボタンである「お引き出し」ボタンのみを押下する。
ＳＡ２、制御部４は上記第１実施の形態のステップＳ２と同様にしてサービス選択ボタンが押下された後に取引ボタンが押下された場合はステップＳＡ３へ、先に取引ボタンが押下された場合はステップＳＡ４へ移行する。
【００３８】
ＳＡ３、制御部４は、サービス選択ボタンが押下されたことを示すために予約フラグを「ＯＮ」に更新する。
ＳＡ４、制御部４は第１実施の形態のステップＳ４と同様にして取引カードを受入れてカード情報を読取り、次いで暗証番号入力画面を表示し、顧客は暗証番号を入力する。
【００３９】
ＳＡ５、制御部４は第１実施の形態のステップＳ５と同様にして金額入力画面を表示し、顧客は引出金額を入力して確認ボタンを押下する。
ＳＡ６、制御部４は第１実施の形態のステップＳ６と同様にしてホストコンピュータ１との間で出金取引の可否を問合せるための取引電文を作成し、ホストコンピュータ１へ送信してステップＳＡ７へ移行する。
【００４０】
取引電文を受信したホストコンピュータ１は、第１実施の形態のステップＳ６で説明したのと同様にして顧客認証処理を行い、その処理を終えると取引可否電文を含む返信を現金自動取引装置２へ送信する。
ＳＡ７、取引電文の送信を終えた制御部４は、予約フラグが「ＯＮ」の場合はステップＳＡ８へ、「ＯＦＦ」の場合はステップＳＡ９へ移行する。本実施の形態では、ステップＳＡ１において「サービス予約」ボタンが押下されていないので、ステップＳＡ９へ移行する。
【００４１】
ＳＡ８、制御部４は第１実施の形態のステップＳ７と同様にして図４に示す待機依頼画面を表示して顧客にしばらくの間の待機を促す。
ＳＡ９、制御部４は表示操作部７の画面に図８に示す待機依頼およびサービス選択画面を表示する。
待機依頼およびサービス選択画面には、センタと通信中である旨やしばらくの間の待機を依頼する旨、サービス情報の表示を選択するときの操作手順等の文言および企業等からのサービス情報の表示を予約するためのサービス選択ボタンとしての「サービス予約」ボタンとその近傍に設けられたサービス情報概要表示エリアに上記ステップＳＡ１と同じサービス情報の概要が表示されている。
【００４２】
本実施の形態では、顧客はステップＳＡ１においてサービス選択ボタンを押し忘れたとして表示操作部７の画面から「サービス予約」ボタンを押下する。
ＳＡ１０、この信号を検知した制御部４は、サービス選択ボタンが押下された場合はサービス情報の表示の選択がなされたとしてステップＳＡ１１へ、サービス選択ボタンが押下されなかった場合はサービス情報の表示の選択がなされなかったとしてステップＳＡ１２へ移行する。
【００４３】
ＳＡ１１、制御部４は、サービス選択ボタンが押下されたことを示すために予約フラグを「ＯＮ」に更新する。
ＳＡ１２、現金自動取引装置２の制御部４は、ステップＳＡ８またはＳＡ９の画面を表示しながら通信部５によってホストコンピュータ１からの返信を待つ返信待状態で待機し、ホストコンピュータ１からの返信を受信したことを契機としてステップＳＡ１３へ分岐する。
【００４４】
ＳＡ１３、ホストコンピュータ１からの返信を受信した制御部４は、第１実施の形態のステップＳ９と同様にして取引可否を判断してそれぞれの場合の出金取引処理を行い、排出した現金や取引カード等を顧客が受取ったことを確認して出金取引処理を終了する。
ＳＡ１４、制御部４は第１実施の形態のステップＳ１０と同様にして予約フラグが「ＯＮ」ならばステップＳＡ１６へ、「ＯＦＦ」ならばステップＳＡ１５へ移行する。
【００４５】
ＳＡ１５、制御部４は、表示操作部７の画面に取引に対する謝辞等の文言を表示した通常の取引終了画面を表示して取引を終了させ、一定時間の経過後に予約フラグを「ＯＦＦ」にしたままステップＳ１へ戻り、表示操作部７の画面に取引選択画面を表示して待機する。
ＳＡ１６、制御部４は、表示操作部７の画面に図９に示す取引に対する謝辞や続いてサービス情報を表示する旨等の文言を表示した取引終了画面を表示して取引を終了させ、一定時間経過後にステップＳＡ１５へ移行する。
【００４６】
この場合に、サービス情報を表示するための「表示」ボタンと急な用件を思い出した等の理由によりサービス情報の表示を取消すための「取消」ボタンを表示するようにしてもよい。これによって顧客の利便性を向上することができる。
ＳＡ１７、取引終了後に制御部４は、表示操作部７の画面に図１０に示すサービス情報表示画面を表示する。
【００４７】
サービス情報表示画面には、表示中のサービス情報は選択したサービス情報である旨等の文言およびそれ以外の表示エリアを広く使ったサービス情報表示エリアが表示され、このサービス情報表示エリアにステップＳＡ１またはＳＡ９で選択されたサービス情報の詳細が表示される。
サービス情報の表示が終了すると、制御部４は予約フラグを「ＯＦＦ」にしてステップＳ１へ戻り、表示操作部７の画面に取引選択画面を表示して待機する。
【００４８】
この場合に、サービス情報の表示の終了を知らせるために再度謝辞等を表示するようにしてもよい。
以上説明したように、本実施の形態では、第１実施の形態例の効果に加えて、サービス選択ボタンを通信待ち時間に再度表示することができるようにしたことによって、初期画面でサービス選択ボタンを押し忘れた顧客の利便性を向上することができると共に、サービス情報依頼主はサービス情報を確実に顧客に伝えることができる。
【００４９】
なお、上記ステップＳＡ９において、上記ステップＳＡ１と同じサービス情報の概要を表示するとして説明したが、異なるサービス情報の概要を表示するようにしてもよい。これによって顧客の希望に沿ったサービス情報の提供が可能となる。
また、ステップＳＡ９において、図８の待機依頼およびサービス選択画面に替えて、図１１に示す他の態様の待機依頼およびサービス選択画面を表示するようにし、図１１に示す複数のサービス予約ボタンのそれぞれの近傍に設けたサービス情報概要表示エリアに内容の異なったサービス情報の概要を表示して選択できるようにしてもよい。
【００５０】
この場合に、表示するサービス情報の概要は、ステップＳＡ１と同じサービス情報の概要と他のサービス情報の概要を表示するようにしてもよく、２つに限らず内容の異なる複数のサービス情報を表示するようにしてもよい。なお予約フラグは「Ａ」「Ｂ」等として識別可能なように構成する。
これによって、顧客の利便性の向上と共により顧客の希望に沿ったサービス情報の提供が可能となる。
【００５１】
更に、ステップＳＡ７、ＳＡ８を省略して、ステップＳＡ１でサービス選択ボタンが押下されているか否かに関わらず、通信待ち時間に常に図１１等の待機依頼およびサービス選択画面を表示するようにしてもよい。
この場合に、ステップＳＡ１でサービス選択ボタンが押下されていない場合には上記と同様の表示を行い、サービス選択ボタンが押下されている場合にはそのサービス情報のより詳しい選択肢を表示するようにしてもよい。
【００５２】
また、他の複数のサービス情報の概要を表示して複数のサービス情報の表示を予約可能としてもよく、２回サービス選択ボタンを押下した場合のみサービス情報を表示するようにしてもよい。
なお、複数のサービス情報の表示が選択された場合は、ステップＳＡ１７において連続してサービス情報の詳細を表示するようにする。
【００５３】
これによって、更に顧客の希望に沿ったサービス情報の提供が可能となる。
上記各実施の形態例においては、現金自動取引装置がサービス情報を格納しているとして説明したが、ホストコンピュータまたは図示しない営業店管理サーバ等からその都度サービス情報を取得して表示するようにしてもよく、インターネット等に接続して金融機関または企業のウェブサーバ等から直接取得するようにしてもよい。
【００５４】
また、本発明を適用する自動取引装置は現金自動取引装置に限らず、発券機やマルチメディア端末、証明写真の印刷機、ディジタルカメラの印刷機等の顧客操作型の自動取引装置であればどのようなものであってもよい。
【００５５】
【発明の効果】
以上述べたように、本発明は、現金自動取引装置の表示操作部にサービス選択ボタンを表示し、サービス情報を表示することを選択可能としたことによって、顧客は希望に沿ったサービス情報の提供を受けることができるという効果が得られる。
【図面の簡単な説明】
【図１】第１実施の形態のサービス情報表示処理を示すフローチャート
【図２】第１実施の形態の現金自動取引装置を示すブロック図
【図３】第１実施の形態の取引選択画面表示例
【図４】第１実施の形態の待機依頼画面表示例
【図５】第１実施の形態のサービス情報表示画面表示例
【図６】第２実施の形態のサービス情報表示処理を示すフローチャート
【図７】第２実施の形態の取引選択画面表示例
【図８】第２実施の形態の待機依頼およびサービス選択画面表示例
【図９】第２実施の形態の取引終了画面表示例
【図１０】第２実施の形態のサービス情報表示画面表示例
【図１１】第２実施の形態の他の態様の待機依頼およびサービス選択画面表示例
【符号の説明】
１　　ホストコンピュータ
２　　現金自動取引装置
３　　元帳ファイル
４　　制御部
５　　通信部
６　　記憶部
７　　表示操作部
８　　カード挿入部
９　　通帳記帳部
１０　紙幣入出金部
１１　硬貨入出金部
【図１】
2004145415.tif 000003
【図２】
2004145415.tif 000004
【図３】
2004145415.tif 000005
【図４】
2004145415.tif 000006
【図５】
2004145415.tif 000007
【図６】
2004145415.tif 000008
【図７】
2004145415.tif 000009
【図８】
2004145415.tif 000010
【図９】
2004145415.tif 000011
【図１０】
2004145415.tif 000012
【図１１】
2004145415.tif 000013